(57)【要約】  装置１００が流体を加熱する。いくかのリチウムイオン・セル１３０がハウジング１２０内に位置決めされる。第１のコネクタがハウジングの第１の端部に位置決めされ、いくつかのリチウムイオン・セルに動作可能に接続される。第１のコネクタ１４０が、電源から電力を受け取るように構成される。第２のコネクタ１５０が、ハウジングの第２の端部に位置決めされ、いくつかのリチウムイオン・セルに動作可能に接続される。加熱要素１１０は、流体を搬送するための管１１５を有する。加熱要素は、第２のコネクタに接続するように構成される。制御装置１３５は、ハウジング内に位置決めされ、いくつかのリチウムイオン・セル及び第２のコネクタに動作可能に接続される。制御装置は、加熱要素に受け取られる電力を監視し、その電力が所定のレベルに達したときに、加熱要素によって受け取られる電力の量を制限するように構成される。
2014528743.tif 000002
【特許請求の範囲】
【請求項１】
流体を加熱する装置であって、
ハウジング内に位置決めされたいくつかのリチウムイオン・セルと、
前記ハウジングの第１の端部に位置決めされ、前記いくつかのリチウムイオン・セルに動作可能に接続された第１のコネクタであって、電源から電力を受け取るように構成された第１のコネクタと、
前記ハウジングの第２の端部に位置決めされ、前記いくつかのリチウムイオン・セルに動作可能に接続された第２のコネクタと、
流体を搬送するための管を有する加熱要素であって、前記第２のコネクタに接続し、前記いくつかのリチウムイオン・セルに貯蔵された電力を受け取り、前記電力を熱エネルギーに変換することによって前記流体を加熱するように構成された加熱要素と、
前記ハウジングの内部に位置決めされ、前記いくつかのリチウムイオン・セル及び前記第２のコネクタに動作可能に接続された制御装置であって、前記加熱要素に受け取られる電力を監視し、該電力が所定のレベルに達したときに前記加熱要素によって受け取られる前記電力の量を制限するように構成された制御装置と
を備える装置。
【請求項２】
前記制御装置が、前記第１のコネクタが前記電源に接続されると、前記いくつかのリチウムイオン・セルから前記第２のコネクタを電気的に切断するように更に構成された請求項１に記載された装置。
【請求項３】
前記制御装置が、前記加熱要素によって受け取られる電力が前記所定のレベルに達したことに応答して、前記いくつかのリチウムイオン・セルから前記第２のコネクタを電気的に切断するように更に構成された請求項１に記載された装置。
【請求項４】
前記いくつかのリチウムイオン・セルの充電状態を表示するように構成されたグラフィカル表示ユニットを更に備える請求項１に記載された装置。
【請求項５】
前記第２のコネクタ内部にフィードバック・コネクタを更に備え、前記フィードバック・コネクタが、前記加熱要素からフィードバック情報を受け取るように構成され、前記グラフィカル表示ユニットが、さらに前記フィードバック情報を表示するように構成された請求項４に記載された装置。
【請求項６】
前記グラフィカル表示ユニットが、制御入力を受け取るように更に構成され、前記制御装置が、受信された前記制御入力に基づいて、前記いくつかのリチウムイオン・セルの充電状態を制御するように更に構成された請求項４に記載された装置。
【請求項７】
前記いくつかのリチウムイオン・セルの充電状態に関する情報を遠隔位置に送信するように構成された通信ユニットを更に備える請求項１に記載された装置。
【請求項８】
前記第２のコネクタ内部にフィードバック・コネクタを更に備え、前記フィードバック・コネクタが、前記加熱要素からフィードバック情報を受け取るように構成され、前記通信ユニットが、前記フィードバック情報を遠隔位置に送信するように更に構成された請求項７に記載された装置。
【請求項９】
前記通信ユニットが、送信された前記情報に応答して、遠隔位置から送信された制御信号を受信するようにさらに構成され、前記制御装置が、受信された前記制御入力に基づいて、前記いくつかのリチウムイオン・セルの充電状態を制御するように更に構成された請求項７に記載された装置。
【請求項１０】
前記いくつかのリチウムイオン・セルおよび前記第１のコネクタに接続された充電回路であって、前記いくつかのリチウムイオン・セルを充電するために、ある範囲の直流電圧入力を受信するように構成された充電回路をさらに備え、直流電圧入力の前記範囲が、約１０ボルト〜約３６ボルトの範囲内である請求項１に記載された装置。
【請求項１１】
前記充電回路に動作可能に接続されたアダプタを更に備え、前記アダプタが、前記直流電圧入力の範囲内の電圧に入力電圧を変換するように構成され、前記アダプタが、交流アダプタ、１対の電気ケーブル、及びライタ・プラグのうちの１つである請求項１０に記載された装置。
【請求項１２】
前記第２のコネクタに接続するように構成されたバッテリ・アダプタ・モジュールを更に備え、前記バッテリ・アダプタ・モジュールが、少なくとも１つの出力コネクタを使用して、いくつかのフォーマットで前記いくつかのリチウムイオン・セルから電力を出力するように構成された請求項１に記載された装置。
【請求項１３】
前記少なくとも１つの出力コネクタが、ＵＳＢコネクタ及びライタ・ソケットのうちの１つである請求項１に記載された装置。
【請求項１４】
前記加熱要素が、複数の連結された加熱モジュールを含み、複数の連結された加熱モジュールの各加熱モジュールが、入力ポートおよび出力ポートを備え、前記複数の連結された加熱モジュールの第１の加熱モジュールの入力ポートが、静脈内流体供給源に接続され、前記複数の連結された加熱モジュールの別の加熱モジュールの出力ポートが、静脈内流体注射針に接続される請求項１に記載された装置。  
【請求項１５】
前記ハウジングの隅部に取り付けられたカラビナと、
前記ハウジングの外面の複数の溝と
を更に備え、
前記ハウジングが、第１の部分および第２の部分を備え、前記第１の部分と第２の部分との間の継ぎ目が、音波溶接され、
前記ハウジングの総重量が、約０．９０７ｋｇ（約２ポンド）以下である請求項１に記載された装置。
【請求項１６】
流体を加熱する装置であって、
ハウジング内部に位置決めされたいくつかのリチウムイオン・セルと、
前記ハウジングの第１の端部に位置決めされ、前記いくつかのリチウムイオン・セルに動作可能に接続された第１のコネクタであって、電源から電力を受け取るように構成された第１のコネクタと、
前記いくつかのリチウムイオン・セルと、前記第１のコネクタとに接続された充電回路であって、前記いくつかのリチウムイオン・セルを充電するために、ある範囲の直流電圧入力を受信するように構成され、直流電圧入力の前記範囲が、約１０ボルト〜約３６ボルトの範囲内である充電回路と、
前記ハウジングの第２の端部に位置決めされ、前記いくつかのリチウムイオン・セルに動作可能に接続された第２のコネクタと、
流体を搬送するための管を有する加熱要素であって、前記第２のコネクタに接続し、前記いくつかのリチウムイオン・セルに貯蔵された電力を受け取り、前記電力を熱エネルギーに変換することによって前記流体を加熱するように構成された加熱要素と、
前記ハウジング内に位置決めされ、前記いくつかのリチウムイオン・セル及び前記第２のコネクタに動作可能に接続された制御装置であって、前記加熱要素によって受け取られる電力を監視し、該電力が所定のレベルに達したときに前記加熱要素によって受け取られる前記電力の量を制限し、前記第１のコネクタが前記電源に接続されるときに、前記いくつかのリチウムイオン・セルから前記第２のコネクタを電気的に切断するように構成された制御装置と
を備える装置。
【請求項１７】
前記制御装置が、前記加熱要素によって受け取られる電力が前記所定のレベルに達したことに応答して、前記いくつかのリチウムイオン・セルから前記第２のコネクタを電気的に切断するように更に構成された請求項１６に記載された装置。
【請求項１８】
前記第２のコネクタに接続するように構成されたバッテリ・アダプタ・モジュールを更に備え、前記バッテリ・アダプタ・モジュールが、少なくとも１つの出力コネクタを使用して、いくつかのフォーマットで前記いくつかのリチウムイオン・セルから電力を出力するように構成され、前記少なくとも１つの出力コネクタが、ＵＳＢコネクタ及びライト・ソケットのうちの１つである請求項１６に記載された装置。
【請求項１９】
流体を加熱する装置であって、
ハウジング内部に位置決めされたいくつかのリチウムイオン・セルと、
前記ハウジングの第１の端部に位置決めされ、前記いくつかのリチウムイオン・セルに動作可能に接続された第１のコネクタであって、電源から電力を受け取るように構成された第１のコネクタと、
前記第１のコネクタを取り囲む第１の絶縁体と、
前記いくつかのリチウムイオン・セルと、前記第１のコネクタとに接続された充電回路であって、前記いくつかのリチウムイオン・セルを充電するために、ある範囲の直流電圧入力を受信するように構成され、直流電圧入力の前記範囲が、約１０ボルト〜約３６ボルトの範囲内である充電回路と、
前記ハウジングの第２の端部に位置決めされ、前記いくつかのリチウムイオン・セルに動作可能に接続された第２のコネクタと、
前記第２のコネクタを取り囲む第２の絶縁体と、
流体を搬送するための管を有する加熱要素であって、前記第２のコネクタに接続し、前記いくつかのリチウムイオン・セルに貯蔵された電力を受け取り、前記電力を熱エネルギーに変換することによって前記流体を加熱するように構成された加熱要素と、
前記ハウジング内に位置決めされ、前記いくつかのリチウムイオン・セル及び前記第２のコネクタに動作可能に接続された制御装置であって、前記加熱要素によって受け取られる電力を監視し、前記加熱要素によって受け取られる前記電力が所定のレベルに達したことに応答して、前記いくつかのリチウムイオン・セルから前記第２のコネクタを電気的に切断し、前記第１のコネクタが前記電源に接続されるときに、前記いくつかのリチウムイオン・セルから前記第２のコネクタを電気的に切断するように構成された制御装置と
を備える装置。
【請求項２０】
前記ハウジング、前記いくつかのリチウムイオン・セル、前記第１のコネクタ、第１の絶縁体、前記充電回路、前記第２のコネクタ、前記第２の絶縁体、及び前記制御装置の総重量が、約０．９０７ｋｇ（約２ポンド）以下である請求項１９に記載された装置。
【発明の詳細な説明】
【技術分野】
【０００１】
本出願は、広い意味でいうとポータブル電源に関し、より具体的には、静脈内流体加熱システムで使用される軽量のバッテリに係るものである。
【背景技術】
【０００２】
人体に投与される静脈内（ＩＶ）流体は、投与時に特定の温度を有する必要があることがある。例えば、血液、血漿、血漿増量剤、Ｈｅｘｔｅｎｄ（商標）電解液及び薬物などのＩＶ流体は、冷凍保存されることがある。他の例では、ＩＶ流体は室温で保たれることがある。投与時、これらのＩＶ流体は、患者が低体温になる虞をなくすために加熱する必要があることがある。
【０００３】
医療施設は、通常は、適切な体温までＩＶ流体を加熱するための電源および加熱器を有する。しかし、医療施設の外では、ＩＶ流体を加熱するための電源を得ることはより難しい場合がある。さらに、医療施設の外で生じる医療状況は、しばしば、ポータブルで軽量の機器を必要とする。
【先行技術文献】
【特許文献】
【０００４】
【特許文献１】米国特許出願第１２／８９１，４６３号明細書
【特許文献２】米国特許第６，１４２，９７４号明細書
【特許文献３】米国特許第６，１３９，５２８号明細書
【発明の概要】
【発明が解決しようとする課題】
【０００５】
したがって、当技術分野では改良された電源が必要性とされている。特に、ポータブルであり軽量の電源の必要性がある。
【課題を解決するための手段】
【０００６】
本開示の１つの有利な実施例によれば、流体を加熱するための装置が提供される。いくつかのリチウムイオン・セルが、ハウジング内に位置決めされる。第１のコネクタが、ハウジングの第１の端部に位置決めされ、いくつかのリチウムイオン・セルに動作可能に接続される。第１のコネクタは、電源から電気エネルギーを受け取るように構成される。第２のコネクタが、ハウジングの第２の端部に位置決めされ、いくつかのリチウムイオン・セルに動作可能に接続される。加熱要素が、流体を搬送するための管を有する。加熱要素は、第２のコネクタに接続するように構成される。制御装置が、ハウジング内部に位置決めされ、いくつかのリチウムイオン・セル及び第２のコネクタに動作可能に接続される。制御装置は、加熱要素によって電気エネルギーが受け取られる程度を監視し、その程度が所定のレベルに達したときに、加熱要素によって受け取られる電力の量を制限するように構成される。
【０００７】
以下の「発明を実施するための形態」の項に入る前に、本特許文献を通して使用されるいくつかの用語及び語句の定義を記載することが有用であろう。用語「含む」及び「備える」、並びにそれらの語形変化は、限定なしの包含を意味する。用語「又は」は、包含的であり、「及び／又は」を意味する。語句「関連付けられる」及びその語形変化は、含む、内部に含まれる、相互接続する、含有する、内部に含有される、接続する、結合する、通信可能である、協働する、交互配置する、並置する、近接する、境界を画す、有する、特性を有するなどを意味することがある。用語「制御装置」は、少なくとも１つの操作を制御する任意のデバイス、システム、又はその一部を意味し、そのようなデバイスは、ハードウェア、ファームウェア、又はソフトウェア、又はそれらの少なくとも２つの何らかの組合せで実施されることがある。任意の特定の制御装置に関連付けられる機能を、ローカルで又は遠隔で集中化又は分散化することができることに留意すべきである。いくつかの語及び語句に関する定義が本特許文献を通して提供され、当業者は、そのような定義が、ほとんどの場合ではないにせよ多くの場合に、そのような定義された用語及び語句の従来及び将来の用法に当てはまることを理解すべきである。
【０００８】
次に、本開示及びその利点をより完全に理解できるように、添付図面に関連付けた以下の説明を参照する。図面中、同様の参照番号は同様の部分を表す。
【図面の簡単な説明】
【０００９】
【図１】本開示の有利な実施例による流体加熱システムのブロック図。
【図２】本開示の有利な実施例によるポータブル電源の分解図。
【図３】本開示の有利な実施例によるポータブル電源を示す図。
【図４】本開示の有利な実施例によるポータブル電源の側面を示す図。
【図５】本開示の有利な実施例による図４のポータブル電源の別の側面を示す図。
【図６】本開示の有利な実施例によるポータブル電源に取り付けることができるバッテリ・アダプタ・モジュールを示す図。
【図７】本開示の有利な実施例による図６のバッテリ・アダプタ・モジュールでのコネクタを示す図。
【図８ａ】本開示の有利な実施例による図６のバッテリ・アダプタ・モジュールの例示的な構成を示す図。
【図８ｂ】本開示の有利な実施例による図６のバッテリ・アダプタ・モジュールの例示的な構成を示す図。
【発明を実施するための形態】
【００１０】
以下に論じる図１〜図８ｂ及び本明細書において本開示の原理を説明するために使用される様々な実施例は例示に過ぎず、本開示の範囲を限定するものと解釈すべきではない。本開示の原理を任意の適切に構成された計算デバイスで実施することができることを当業者は理解されよう。
【００１１】
次に図面、特に図１を参照すると、本開示の有利な実施例による流体加熱システムのブロック図が示されている。流体加熱システム１００は、ポータブル電源１０５及び加熱要素１１０を含む。ポータブル電源１０５は、加熱要素１１０に電力を供給する電力源である。加熱要素１１０は、管１１５内の流体を加熱する。例えば、加熱要素１１０は、ＩＶ流体が人体内に入る前にＩＶ流体を加熱する。
【００１２】
この有利な実施例では、ポータブル電源１０５は、流体を加熱するための電力を加熱要素１１０に供給するように適合された改良されたバッテリである。ポータブル電源１０５は、ハウジング１２０を含む。ハウジング１２０は、ポータブル電源１０５内部の構成要素を保持するための構造である。ハウジング１２０は、充電回路１２５、いくつかのリチウムイオン・セル１３０、及び制御装置１３５を含む。
【００１３】
充電回路１２５は、いくつかのリチウムイオン・セル１３０を充電するための回路である。リチウムイオン・セル１３０は、特定の範囲の電圧の入力値を要求できる。例えば、いくつかのリチウムイオン・バッテリは、約３ボルト〜約４．２ボルトの許容電圧の範囲を有しうる。これらの範囲を超える電圧は、バッテリの過熱又はバッテリ寿命の短縮を引き起こすことがある。これらの例では、充電回路１２５は、リチウムイオン・セル１３０を許容公差内で適切に充電できるように、入力電圧を適合させる。例えば、充電回路１２５は、約１０ボルトの直流（ＤＣ）〜約３６ボルトのＤＣの範囲の入力電圧を受け取るように適合される。充電回路１２５は、いくつかのリチウムイオン・セル１３０を適切に充電できるように、コネクタ１４０で受け取られた入力電圧を適合させて分割する。
【００１４】
制御装置１３５は、いくつかのリチウムイオン・セル１３０の電圧を監視する。制御装置１３５は、いくつかのリチウムイオン・セル１３０の充電に関する情報をインジケータ１４５に表示する。例えば、いくつかのリチウムイオン・セル１３０が充電中であるとき、インジケータ１４５は、いくつかのリチウムイオン・セル１３０が充電中であることを示すために光での表示を示すことがある。別の例では、インジケータ１４５はスピーカ１６０を含み、スピーカ１６０が、いくつかのリチウムイオン・セル１３０の充電状態を示す可聴音を発生する。
【００１５】
さらに、インジケータ１４５は、いくつかのリチウムイオン・セル１３０が充電されているパーセンテージの表示を示すことがある。例えば、制御装置１３５は、いくつかのリチウムイオン・セル１３０の各セルの電圧を識別する。各セルの総充電量に関する既知の値に基づいて、制御装置１３５は、インジケータ１４５のいくつかのライトを点灯させ、これらのライトは、いくつかのリチウムイオン・セル１３０に関する総充電量のパーセンテージを表す。例えば、ライトは、液晶ディスプレイ（ＬＣＤ）の発光ダイオード（ＬＥＤ）部分、及び／又は任意の他の適切なものでよい。
【００１６】
別の例として、インジケータ１４５は、スピーカ１６０を使用して、いくつかのリチウムイオン・セル１３０に関する総充電量のパーセンテージを示す可聴音を発生できる。別の例では、インジケータ１４５は、有線、ファイバ、無線、及び／又は他の適切なタイプの通信リンクを使用するネットワーク接続を介して、いくつかのリチウムイオン・セル１３０のステータス及び／又は充電を通信するための通信ユニット１６５を含む。例えば、通信ユニット１６５は、ワイヤレス通信送受信機及び／又はネットワーク・インターフェース・カードでよい。通信ユニット１６５は、遠隔位置にある操作者デバイス又は監視センタに充電状態を提供できる。
【００１７】
他の例では、インジケータ１４５は、いくつかのリチウムイオン・セル１３０の充電状態を表示するためのグラフィカル表示ユニット１７０を含む。１つの非限定の例では、グラフィカル表示ユニット１７０は、ハウジング１２０の外面内又は外面上に位置決めされたＬＣＤパネルでよい。また、グラフィカル表示ユニット１７０は、操作者から制御装置１３５への入力を受信することもできる。例えば、グラフィカル表示ユニット１７０を使用して、ポータブル電源１０５をオン若しくはオフに切り替えるか、又はいくつかのリチウムイオン・セル１３０の充電を何らかの他の形で修正及び制御することができる。いくつかの実施例では、操作者は、通信ユニット１６５によって受信されたコマンドを使用して、ポータブル電源１０５を遠隔で制御できる。
【００１８】
また、制御装置１３５は、コネクタ１５０でポータブル電源１０５から出力される電力を制御する。制御装置３１５は、スイッチ１５５を含む。スイッチ１５５は、いくつかのリチウムイオン・セル１３０とコネクタ１５０との電気的接続機構である。スイッチ１５５は、加熱要素１１０をいくつかのリチウムイオン・セル１３０から電気的に切断することができる。例えば、セキュリティ機能として、いくつかのリチウムイオン・セル１３０が充電中であることを制御装置１３５が検出するとき、スイッチ１５５は、加熱要素１１０をいくつかのリチウムイオン・セル１３０から切断する。加熱要素１１０をいくつかのリチウムイオン・セル１３０から切断することにより、加熱要素１１０に供給される電力が大きすぎる可能性、および管１１５内の流体が高温になりすぎる可能性を減少させる。
【００１９】
さらに、制御装置１３５は、いくつかのリチウムイオン・セル１３０から加熱要素１１０への電流の流れを監視する。例えば、制御装置１３５は、電流を監視するための計器を含むことがある。これらの例では、過熱の可能性を減少させるために、加熱要素１１０は、ポータブル電源１０５から引き出すことのできる電流の許容閾値量を有する。制御装置１３５は、電流を監視し、閾値に達したときに、加熱要素１１０への電流を制限又は停止させることができる。１つの例では、制御装置１３５は、閾値に達したときに電流を阻止するヒューズを含む。別の例では、制御装置１３５は、コネクタ１５０での電流の出力を閾値量に制限するフィルタを含む。１つの例示的な実例では、加熱要素１１０に関する電流のしきい値量は、約２０アンペア（Ａ）の電流である。
【００２０】
いくつかの例示的実施例では、制御装置１３５は、加熱要素１１０からコネクタ１５０を介してフィードバック情報を受信する。例えば、限定はしないが、制御装置１３５は、流体温度、加熱要素性能、および加熱要素１１０の履歴性能データに関する情報を受信することができる。制御装置１３５は、受信されたフィードバック情報をグラフィカル表示ユニット１７０に表示できる。別の例では、制御装置１３５は、通信ユニット１６５を使用して、遠隔位置にいる操作者又は監視センタにフィードバック情報を送信できる。これらの例では、操作者は、加熱要素１１０の設定を監視及び／又は調節するために、流体温度情報を使用できる。さらに、履歴性能データを使用して、加熱要素１１０内の管１１５を交換すべき時を決定できる。
【００２１】
この例示的実施例では、流体加熱システム１００はアダプタ１６０を含む。アダプタ１６０は、いくつかのリチウムイオン・セル１３０を充電するために、電源（図示せず）からポータブル電源１０５に電力を送る。アダプタ１６０は、コネクタ１４０に接続する。１つの例では、アダプタ１６０は、ＡＣ源をＤＣ入力に変えるための交流（ＡＣ）アダプタでよい。別の例では、アダプタ１６０は、例えば車又はソーラー・パネルからライターソケットを介してポータブル電源１０５を充電するためのライタープラグである。さらに別の例では、アダプタ１６０は、バッテリの端部への取付け用のクランプを有する１対の電気ケーブルでよい。いくつかの実施例では、アダプタ１６０が必要ないこともある。例えば、電源をコネクタ１４０に直接接続することができる。
【００２２】
この有利な実施例では、ポータブル電源１０５は、加熱要素１１０用の軽量のポータブル電源である。１つの例では、ポータブル電源１０５は、約０．５６７ｋｇ（約１．２５ポンド）の重量を有する。ポータブル電源１０５は、管１１５内の流体を加熱するための電力を供給する。１つの例では、加熱要素１１０は、デイジーチェーンで連結された、又は何らかの他の形で一体に連係若しくは接続されたいくつかの加熱モジュールを含む。インターベンション用流体バッグなどの流体リザーバ（図示せず）が、一連の加熱モジュールのうちの第１の加熱モジュールの入力ポートに取り付けられる。ＩＶ注射針アセンブリが、互いに流体連絡する一連のモジュールのうちの最後の加熱モジュールの出力ポートに取り付けられる。
【００２３】
この例では、流体は、リザーバから加熱モジュールを通って移動し、加熱モジュールは、モジュール内部に位置された電気的にエネルギーを与えられた内部コイル又は抵抗要素によって加熱され、コイル又は抵抗要素は、電力を熱エネルギーに変換する。本明細書では電気的にエネルギーを与えられる内部コイル又は抵抗要素を述べるが、任意の適切な加熱要素を使用できる。流体の温度は、流体が一連のモジュール１８を通過するときに監視される。流体の温度は、加熱要素１１０内部の流路内に又は流路に沿って位置された熱検出器に応答して、いくつかのリチウムイオンセル１３０から加熱要素１１０の加熱コイルに流れる電流の量を制御することにより、制御装置１３５によって調整される。
【００２４】
また、この例では、加熱要素１１０内の加熱モジュールは、より長い流路を形成するために他の加熱モジュールと連結若しくは何らかの他の形で接続されうるが、あるいは個別に使用もできる。加熱要素１１０内の加熱モジュールの数は、流体に伝達する必要のある熱量、又は管１１５を通って流体の流れる速度によって選択できる。例として、図３、及び上記で参照により本明細書に援用する米国特許出願第１２／８９１４６３号の本文では、段階的に流体の温度を上昇させる加熱モジュールの直列連結を例示して説明している。図４、及び上記で参照により本明細書に援用する米国特許出願第１２／８９１，４６３号の本文では、段階的に流体の温度を上昇させる加熱モジュールの３次元連結を例示して説明している。
【００２５】
図１での流体加熱システム１００の例示は、様々な例示的実施例を実施できる様式に対する物理的又は設計上の制限を示す意図はない。例示した構成要素に加えて、及び／又はそれらの代わりに、他の構成要素を使用することもできる。いくつかの例示的実施例では、いくつかの構成要素は不要であることがある。また、いくつかの機能構成要素を例示するために、ブロックが示されている。異なる例示的実施例において実施するときには、これらのブロックの１つ又は複数を異なるブロックに統合及び／又は分割することができる。
【００２６】
例えば、いくつかの実施例では、インジケータ４５０、スピーカ１６０、通信ユニット１６５、及び／又はグラフィカル表示ユニット１７０の任意のものが存在しないことがある。他の実施例では、ポータブル電源１０５を識別するために、無線周波数識別（ＲＦＩＤ：ｒａｄｉｏｆｒｅｑｕｅｎｃｙ  ｉｄｅｎｔｉｆｉｃａｔｉｏｎ）タグ又はラベルをポータブル電源１０５に設けることができる。さらに他の実施例では、ポータブル電源１０５の位置を識別できる任意の構成要素を使用不可にすることができる。例えば、ポータブル電源１０５の位置が分からないように、インジケータ４５０、スピーカ１６０、通信ユニット１６５、グラフィカル表示ユニット１７０、及び／又はポータブル電源１０５用のＲＦＩＤタグを使用不可にすることができる。
【００２７】
図２は、本開示の有利な実施例による電源の分解図である。この例示的実施例では、ポータブル電源２００は、図１でのポータブル電源１０５の一実施形態の一例である。例示されるように、ポータブル電源２００は、上側ハウジング２０５と下側ハウジング２１０を含む。この例示的な例では、上側ハウジング２０５および下側ハウジング２１０は、例えばプラスチック又は何らかの他のタイプのポリマーなどの複合材からなる。上側ハウジング２０５と下側ハウジング２１０とは、ポータブル電源２００の耐久性を改良するために確実にしっかりと接合される。１つの例では、上側ハウジング２０５と下側ハウジング２１０との間の継ぎ目が、超音波溶接を使用して溶接される。他の例では、上側ハウジング２０５と下側ハウジング２１０を機械的又は化学的に接合することができる。
【００２８】
また、ポータブル電源２００は、リチウムイオン・セル２１５、充電回路２２０、制御装置２２５、インジケータ２３０、複数のＬＥＤ２３５、および出力端子２４０を含む。複数のＬＥＤ２３５が、ポータブル電源２００内のリチウムイオン・セル２１５の充電量のパーセンテージを表示する。この例では、４つのＬＥＤが図示されている。したがって、各ライトが、充電されたリチウムイオン・セル２１５の約２５％を表すことがある。他の例では、任意の数のＬＥＤを利用でき、任意の数の異なるパーセンテージが示されることがある。この例では、ポータブル電源２００は、防振層２４５も含む。防振層２４５は、ポータブル電源２００内で生じることのある運動に対する防振機能を提供する。１つの例では、防振層２４５はフォームパッドからなる。
【００２９】
図３は、本開示の有利な実施例によるポータブル電源を示す。ポータブル電源３００は、ポータブル電源２００の一実施形態の一例である。この図示された例では、ポータブル電源３００は、ポータブル電源３００のハウジングの外面に形成された複数の溝３０５を含む。複数の溝３０５は、操作者がポータブル電源３００を持ちやすくする。例えば、複数の溝３０５は、濡れた状態又は滑りやすい状態における補助となり得る。
【００３０】
また、この例には、カラビナ３１０が例示されている。カラビナ３１０は、ポータブル電源３００を取り付けて保持する方法のオプションを操作者に提供する。例えば、限定はしないが、カラビナ３１０を利用して、ポータブル電源３００を担架、人の衣類、バックパック、ネット、フック、又は航空機若しくはヘリコプタにおける任意の他の表面若しくは構造体、又はＩＶ流体スタンドに固定できる。他の例では、カラビナ３１０の代わりに、他のタイプの固定デバイス、例えばフックやストラップを使用できる。
【００３１】
図４は、本開示の有利な実施例によるポータブル電源の側面図を示す。ポータブル電源４００が、一方の側面から見られている。この例示的な例では、ポータブル電源４００は出力端子４０５を有する。出力端子４０５は、例えば図１における加熱要素１１０などの加熱要素からプラグ・タイプのコネクタを受け取るように適合されたソケット・タイプのコネクタである。出力端子４０５は、絶縁体４１０によって取り囲まれている。絶縁体４１０は、出力端子４０５から出る方向以外の方向での電流を減少させる。例えば、ポータブル電源４００は、水が存在する状況で利用できる。絶縁体４１０は、接続された加熱要素内へ流れずに水分のある環境へ流れる電流を減少させる。
【００３２】
また、インジケータ４１５および複数のＬＥＤ４２０が例示されている。インジケータ４１５は、ポータブル電源４００が充電されているかどうかを表示する。複数のＬＥＤ４２０は、ポータブル電源４００の充電量のパーセンテージを示す。
【００３３】
図５は、本開示の有利な実施例による図４でのポータブル電源の別の側面図を示す。この例示的な例では、ポータブル電源４００が別の側面から見られている。ポータブル電源４００は入力端子５００を有する。この例では、入力端子５００は、同軸ソケット入力端子であるが、他の例では他のタイプの電気コネクタが存在できる。１つの例では、入力端子５００は、２．５ｍｍＤＣ入力端子である。任意の数の異なる先端及びアダプタが入力端子５００に接続することができ、任意の数の異なる電源によってポータブル電源４００を充電する。入力端子５００も、絶縁体５０５によって取り囲まれている。絶縁体５０５は、入力端子５００から漏洩又は短絡することのある電流量を減少させる。
【００３４】
図６は、本開示の有利な実施例による、ポータブル電源に取り付けることのできるバッテリ・アダプタ・モジュールの例示である。この例示的な例では、バッテリ・アダプタ・モジュール６００は、ポータブル電源６０５に取り付けられるように構成されている。ポータブル電源６０５は、ポータブル電源１０５の一実施形態の一例である。バッテリ・アダプタ・モジュール６００は、複数のデバイスがポータブル電源６０５から電力を受け取ることができるようにする。例えば、バッテリ・アダプタ・モジュール６００は、任意の数の異なるフォーマット及び／又は構成でポータブル電源６０５から電力を出力するための任意の数の異なる出力端子を含むことができる。例えば、限定はしないが、ポータブル電源６０５での出力端子は、ユニバーサル・シリアル・バス（ＵＳＢ）コネクタ、ライタ・ソケット、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４インターフェース（例えば、ＦｉｒｅＷｉｒｅ（商標）、ｉＬＩＮＫ（商標）、Ｌｙｎｘ（商標））、Ｔｈｕｎｄｅｒｂｏｌｔ（商標）インターフェース、Ｅｔｈｅｒｎｅｔ（登録商標）ソケット、交流（ＡＣ）アウトレットを有するインバータ、及び／又は任意の他の適切な電源アウトレットの１つ又は複数を含む。
【００３５】
図７は、図６に示されるバッテリ・アダプタ・モジュールのコネクタの例示である。この例示的な実例では、バッテリ・アダプタ・モジュール６００は、コネクタ７００を含む。コネクタ７００は、図６でのバッテリ・アダプタ・モジュール６００とポータブル電源６０５との電気的接続を提供するように構成される。この例では、コネクタ７００は、雄ピンである。例えば、図４での出力端子４０５のソケットによって受け取られるように適合されたプラグからのコネクタ７００である。様々な実施例において、バッテリ・アダプタ・モジュール６００は、バッテリ・アダプタ・モジュール６００から延在する外縁部７０５を含む。外縁部７０５は、図６のポータブル電源６０５の周りを確実に取り囲み、且つポータブル電源６０５と機械的に接続するように適合される。いくつかの実施例では、例えば米国特許第６１４２９７４号及び米国特許第６１３９５２８号に記載されているバッテリなど、様々なサイズのポータブル電源にバッテリ・アダプタ・モジュール６００を接続できるように、外縁部７０５は平坦でよい。他の実施例では、様々なサイズのポータブル電源にバッテリ・アダプタ・モジュール６００を接続できるように、外縁部７０５の延在域を超えて電気的接続を延ばすために追加のモジュール（図示せず）が含まれることができる。
【００３６】
図８ａ及び図８ｂは、図６でのバッテリ・アダプタ・モジュールの例示的な構成を例示する。図８ａは、４つの出力端子を有するバッテリ・アダプタ・モジュール６００を例示する。例えば、４つの出力端子は、ＵＳＢコネクタ８００でよい。図８ｂは、３つの出力端子を有するバッテリ・アダプタ・モジュール６００を例示する。例えば、３つの出力端子は、２つのＵＳＢコネクタ８０５と、１つのライタ・ソケット８１０とを含むことがある。図８ａ及び図８ｂでの出力コネクタは、任意の数の異なるモバイル・デバイスに電力を供給するために使用でき、そのようなモバイル・デバイスは、例えば、移動電話、タブレット・コンピュータ、個人用携帯情報端末、及び／又は任意の他の適切なモバイル・デバイスなどである。図８ａ及び図８ｂでのバッテリ・アダプタ・モジュール６００の例示は、様々な例示的実施例を実施できる様式に対する物理的又は設計上の制限を示す意図はない。例えば、任意の異なる数及びタイプの出力端子をバッテリ・アダプタ・モジュール６００によって利用することができる。
【００３７】
本発明の様々な実施例の説明を例示の目的で提供してきたが、包括的であるもの又は開示される実施例に限定されるものとは意図されていない。説明した実施例の範囲及び原理から逸脱することなく、多くの修正形態及び変形形態が当業者には明らかであろう。本開示が、添付の特許請求の範囲の範囲内にある修正形態及び変形形態を包含することが意図される。
【図２】
2014528743.tif 000003
【図３】
2014528743.tif 000004
【図４】
2014528743.tif 000005
【図５】
2014528743.tif 000006
【図６】
2014528743.tif 000007
【図７】
2014528743.tif 000008
【図８ａ】
2014528743.tif 000009
【図８ｂ】
2014528743.tif 000010
【図１】
2014528743.tif 000011
【国際調査報告】
2014528743.tif 000012